(57)【要約】【課題】  プロジェクタ装置に大容量メモリが搭載されるようになると、大量の動画、静止画を記録するようになり、画像検索機能が必要になり、簡単に検索キー画像を指定する方法が必要になる。【解決手段】  レーザーポインタ等の入力手段を用いると、検索キー画像をスクリーン上で指定することが出来るので、簡単に画像検索を行うことができる。【選択図】  図１
2007072891.tif 000002
【特許請求の範囲】
【請求項１】
映像信号をスクリーン上に投影するプロジェクタ投影手段と、スクリーン上の任意の位置を指し示す入力手段と、スクリーンの映像を取り込むための撮影手段と、スクリーン上にあるポインタの位置を検出するポインタ位置検出手段と、映像信号を出力する映像出力処理手段と、映像信号を生成する画像処理手段と、画像検索を行うための画像検索手段と、画像を記憶するための記憶手段と、システムを制御するシステム制御手段を有することを特徴とするプロジェクタ装置。
【請求項２】
請求項１のスクリーン上の任意の位置を指し示す入力手段は、レーザーポインタ、指示棒、指先であることを特徴とするプロジェクタ装置。
【請求項３】
請求項１のポインタ位置検出手段を用いて、ポインタ検出位置にプロジェクタ投影手段を通してスクリーン上へ軌跡を表示することを特徴とするプロジェクタ装置。
【請求項４】
請求項１のポインタ位置検出手段を用いて、ポインタ軌跡を閉曲線として認識すると、閉曲線に囲まれた画像を切り取ることを特徴とするプロジェクタ装置。
【請求項５】
請求項４で閉曲線に囲まれた画像を切り取った後、画像検索用の検索キー画像として、請求項１の画像を記憶する手段に記録することを特徴とするプロジェクタ装置。
【請求項６】
請求項１の画像を記憶する手段に記憶された検索キー画像を用いて、画像検索を行うことを特徴とするプロジェクタ装置。
【請求項７】
請求項６の画像検索の結果を、請求項１のプロジェクタ投影手段を通してスクリーン上へ表示することを特徴とするプロジェクタ装置。
【請求項８】
請求項１のポインタ位置検出手段は、あらかじめ登録されたポインタ軌跡を検出することを特徴とするプロジェクタ装置。
【請求項９】
請求項８のあらかじめ登録されたポインタ軌跡を検出すると、請求項４のポインタ軌跡を消去して、ポインタ指定処理を初期化することを特徴とするプロジェクタ装置。
【発明の詳細な説明】
【技術分野】
【０００１】
本発明は、画像を投影、検索する機能を備えたプロジェクタ装置に関する。
【背景技術】
【０００２】
従来、スクリーン上に投影した画像にレーザーポインタ等の入力手段を用いて、指示し撮影手段を用いて、指示位置を検出する技術は、特開平９−６２４４４にある。
【特許文献１】特開平９−６２４４４号公報
【発明の開示】
【発明が解決しようとする課題】
【０００３】
しかし、プロジェクタ装置に大容量メモリ、ハードディスクが搭載されるようになると、プロジェクタ単体で使用されるようになる。また、大量の動画、静止画を記録するようになり、画像検索機能が必要になり、簡単に検索キー画像を指定する方法が必要になる。
【課題を解決するための手段】
【０００４】
本発明に係るプロジェクタ装置に於いては、第1に映像信号をスクリーン上に投影するプロジェクタ投影手段と、スクリーン上の任意の位置を指し示す入力手段と、スクリーンの映像を取り込むための撮影手段と、スクリーン上にあるポインタの位置を検出するポインタ位置検出手段と、映像信号を出力する映像出力処理手段と、映像信号を生成する画像処理手段と、画像検索を行うための画像検索手段と、画像を記憶するための記憶手段と、システムを制御するシステム制御手段を有することを特徴とする。
【０００５】
第２にスクリーン上の任意の位置を指し示す入力手段は、レーザーポインタ、指示棒、指先であることを特徴とする。
【０００６】
第３にポインタ位置検出手段を用いて、ポインタ検出位置にプロジェクタ投影手段を通してスクリーン上へ軌跡を表示することを特徴とする。
【０００７】
第４にポインタ位置検出手段を用いて、ポインタ軌跡を閉曲線として認識すると、閉曲線に囲まれた画像を切り取ることを特徴とする。
【０００８】
第５に閉曲線に囲まれた画像を切り取った後、画像検索用の検索キー画像として、画像を記憶する手段に記録することを特徴とする。
【０００９】
第６に画像を記憶する手段に記憶された検索キー画像を用いて、画像検索を行うことを特徴とする。
【００１０】
第７に画像検索の結果を、請求項１のプロジェクタ投影手段を通してスクリーン上へ表示することを特徴とする。
【００１１】
第８にポインタ位置検出手段は、あらかじめ登録されたポインタ軌跡を検出することを特徴とする。
【００１２】
第９にあらかじめ登録されたポインタ軌跡を検出すると、ポインタ軌跡を消去して、ポインタ指定処理を初期化することを特徴とする。
【００１３】
上記手段により、簡単に検索キー画像を指定することが可能となる。また、指定処理のキャンセルを簡単に行うことが可能となる。
【発明の効果】
【００１４】
以上の説明から容易に理解できるように、本発明によれば、第１に、プロジェクタ装置において画像検索を行う場合、検索キー画像を簡単に指定することが可能となる。
【００１５】
第２に、プロジェクタ装置あるいはスクリーンから離れた位置から検索キー画像の指定を行うことが可能となる。
【００１６】
第３に、検索キー画像として、画像の切り出し領域を明確にすることが可能となる。
【００１７】
第４に、検索キー画像としてポインタで領域を指定すると、自動的に画像を切り出すことが可能となる。
【００１８】
第５に、検索キー画像としてポインタで領域を指定すると、自動的に記憶手段に検索キー画像を保存することが可能となる。
【００１９】
第６に、プロジェクタ装置を用いて、画像検索を行うことが可能となる。
【００２０】
第７に、プロジェクタ装置を用いて、画像検索結果を閲覧することが可能となる。
【００２１】
第８に、あらかじめポインタ軌跡と動作を登録しておくことにより、ポインタだけでプロジェクタ装置の操作を行うことが可能となる。
【００２２】
第９に、検索キー画像の切り出しのための、ポインタ指示入力を簡単にキャンセルすることが可能となる。
【発明を実施するための最良の形態】
【００２３】
以下、図面を参照して本発明の実施例を説明する。
【００２４】
図１は、本発明の実施例の構成を示す図である。
【００２５】
図1において、３０はプロジェクタ装置である。
【００２６】
１はプロジェクタであり、４映像信号出力ブロックからの信号を３スクリーン上へ投影する。
【００２７】
２はカメラであり、１プロジェクタ上の画像と１０レーザーポインタの軌跡を撮影する。
【００２８】
５はスクリーン上の１０レーザーポインタの軌跡を検出する差分抽出ブロックである。レーザーポインタの軌跡を検出するために、４映像信号出力ブロックの出力信号と２カメラで撮影した画像信号の差分を抽出する。
【００２９】
６はメモリであり、動画像、静止画像、プログラムコードを記憶する。
【００３０】
７は画像検索エンジンであり、６メモリ、１１メモリカード、１２ハードディスク内の画像を検索する。また、検索結果を６メモリ、１１メモリカード、１２ハードディスクに保存する。
【００３１】
８は３０プロジェクタ装置を制御するCPUである。
【００３２】
９は画像処理ブロックであり、５差分抽出ブロックで検出した差分を用いて、スクリーン上へポインタを表示するための処理を行う。あるいは、ポインタ軌跡を検出し、例えば平曲線を検出すると、曲線で囲まれた領域をスクリーンへの投影画像から切り取る処理を行う。
【００３３】
図２は、本発明の実施例を説明する、プロジェクタ投影スクリーンの概念図である。
【００３４】
１００はプロジェクタで映像を投影するためのスクリーンである。
【００３５】
１０１はプロジェクタの投影映像であり、例えば、プロジェクタ内の１１メモリカード内に保存されている画像を再生している。この画像の任意の部分を切り取り、検索キー画像とすることが可能である。
【００３６】
１０２は１０レーザーポインタの軌跡を表示している。
【００３７】
１０３は１０レーザーポインタの指し示す位置である。
【００３８】
１０４は画像検索結果画像である。１０４検索結果画像を拡大再生したい場合は、１０レーザーポインタで目的の画像の上で、円を描いて選択することも可能である。
【００３９】
１０５は検索キー画像である。この画像を用いて、画像検索を行う。図２では、１０５検索キー画像は切り取り時に四角形に補正されている。
【００４０】
１０２のポインタ軌跡は、１０３のレーザーポインタの指し示す位置を２カメラで取り込み、９画像処理ブロックで投影画像に重ね合わせ、１プロジェクタを通して２スクリーンに投影している。
【００４１】
１０レーザーポインタの代わりに、例えば、指示棒、指先の動きを２カメラで取り込み、ポインタ軌跡としてスクリーン上に投影することも可能である。
【００４２】
１０レーザーポインタの出力光の軌跡は、円、四角形であって、その大きさを自由に変えることが出来るようなものでも構わない。例えば、円の大きさを変えて、投影画像の任意の場所から１０レーザーポインタの円で検索キー画像を指定して切り出すことが可能となる。
【００４３】
図３は、本発明の実施例１を説明するフローチャートである。実施例１は、スクリーン上に投影している画像から、ポインタで検索キー画像を指定し、画像から切り取り、メモリへ記録するシステムの説明である。
【００４４】
Ｓ１は画像検索サブルーチンの開始である。
【００４５】
Ｓ２はポインタ指示であり、２スクリーン上の１０レーザーポインタからのポインタ位置を５差分抽出手段で検出する処理である。
【００４６】
Ｓ３はＳ２におけるポインタ指示の軌跡が交点を持った場合、Ｓ４へ分岐する処理である。軌跡が交点を持たない場合は、Ｓ２へ分岐し検索キー画像の切り取るための１０レーザーポインタによる領域指定を継続する。
【００４７】
Ｓ４は軌跡を閉曲線としてスクリーン投影画像から閉曲線内の画像を切り取る処理である。切り取った画像は、１０５検索キー画像となる。
【００４８】
Ｓ５はＳ４でスクリーン投影画像から切り出した１０５検索キー画像を６メモリ、１１メモリカード、１２ハードディスク装置へ記録する。
【００４９】
Ｓ６は画像検索処理で、Ｓ４で切り出した１０５検索キー画像を用いて、６メモリ、１１メモリカード、１２ハードディスク装置へ記録されている画像のなかから、目的の画像を検索する。
【００５０】
Ｓ７は検索結果の表示である。表示は、１プロジェクタを通して、２スクリーン上へ投影される。
【００５１】
Ｓ８は検索結果の保存処理であり、６メモリ、１１メモリカード、１２ハードディスク装置へ記録する。
【００５２】
Ｓ９は検索キー画像指定サブルーチンの終了である。
【００５３】
スクリーン上に投影されている画像は、静止画像でなくても良い。例えば、動画の場合は一時停止で画像を静止させ、検索キー画像を切り取ることも可能である。また、検索対象の画像は、動画も可能である。
【００５４】
Ｓ４のキー画像の切り取り後に、例えば、ＵＳＢインターフェースを用いてパソコンに転送することも可能である。また、パソコンからプロジェクタ投影画像を入力し、その画像を切り取ることも可能である。
【００５５】
Ｓ７の検索結果の表示において、１０４結果画像の中から絞込みを行う場合、１０４結果画像の切り出したい部分を１０レーザーポインタで囲み、検索キー画像を生成することも可能である。
【００５６】
Ｓ７の画像表示において、３スクリーン上の１０４結果画像の上で、１０レーザーポインタを用いて例えば、円を描くことにより、１０４結果画像を拡大再生することが出来る。
【００５７】
Ｓ８の検索結果の保存において、３スクリーン上の１０４結果画像の上で、１０レーザーポインタを用いて、例えば、円を描くことにより、１０４結果画像を選択して６メモリ、１１メモリカード、１２ハードディスク装置へ保存することが出来る。上記の機能により、結果画像の中から、自分の必要なものだけを選択して保存することが出来る。
【００５８】
図４は実施例２を説明するための概念図である。実施例２は、検索キー画像指定の取り消し処理に関する。
【００５９】
２００はプロジェクタ投影スクリーンである。
【００６０】
２０１は１プロジェクタの投影画像である。
【００６１】
２０２は検索キー画像を切り出すために、１０レーザーポインタで指定したポインタ軌跡である。
【００６２】
２０３は１０レーザーポインタで２００スクリーン上へ特徴的な軌跡を描いた軌跡である。例えば、ポインタで何度もほぼ同じ場所に線を描くと、今まで１０レーザーポインタで指定したポインタ軌跡が初期化され、最初から指定し直すことが可能になる。
【００６３】
図５は実施例２を説明するためのフローチャートである。
【００６４】
Ｓ１００はキー画像の指定サブルーチンの開始である。
【００６５】
Ｓ１０１はポインタ指示であり、２スクリーン上の１０レーザーポインタからのポインタ位置を５差分抽出手段で検出する処理である。
【００６６】
Ｓ１０２はＳ１０１におけるポインタ指示の軌跡が、検索キー画像領域指定を取り消す指示を示す軌跡（例えば、何度も線を重ねた軌跡、バツ印を描いた軌跡）ならば、Ｓ１０３へ分岐し、ポインタ指示を初期化する。
【００６７】
Ｓ１０４はＳ１０１におけるポインタ指示の軌跡が交点を持った場合、Ｓ１０５へ分岐する処理である。軌跡が交点を持たない場合は、Ｓ１０１へ分岐し検索キー画像の切り取るための１０レーザーポインタによる領域指定を継続する。
【００６８】
Ｓ１０５は軌跡を閉曲線としてスクリーン投影画像から閉曲線内の画像を切り取る処理である。
【００６９】
Ｓ１０６はＳ４でスクリーン投影画像から切り出した検索キー画像を６メモリ、１１メモリカード、１２ハードディスク装置へ記録する。
【００７０】
Ｓ１０７はキー画像指定サブルーチンの終了である。
【００７１】
Ｓ１０２のポインタの指定領域を取り消す処理により、検索キー画像の取り消し処理を例えば１０レーザーポインタを用いて簡単に行うことが可能となる。
【００７２】
Ｓ１０６で切り出した検索キー画像を用いて、実施例１のＳ６、Ｓ７、Ｓ８を用いて画像検索を行うことが可能である。
【図面の簡単な説明】
【００７３】
【図１】プロジェクタ装置の構成図。
【図２】実施例１の概念図。
【図３】実施例１のフローチャート。
【図４】実施例２の概念図。
【図５】実施例２のフローチャート。
【符号の説明】
【００７４】
１  プロジェクタ
２  カメラ
３  スクリーン
４  映像信号出力ブロック
５  差分抽出ブロック
６  メモリ
７  画像検索エンジン
８  CPU
９  画像処理ブロック
１０  レーザーポインタ
１１  メモリカード
１２  ハードディスク装置
３０  プロジェクタ装置
１００  プロジェクタ投影スクリーン
１０１  投影画像
１０２  １０レーザーポインタの軌跡
１０３  １０レーザーポインタの指し示す点
１０４  画像検索結果画像
１０５  検索キー画像
２００  プロジェクタ投影スクリーン
２０１  投影画像
２０２  １０レーザーポインタで指定したポインタ軌跡
２０３  １０レーザーポインタで描いた特徴的な軌跡
【図１】
2007072891.tif 000003
【図２】
2007072891.tif 000004
【図３】
2007072891.tif 000005
【図４】
2007072891.tif 000006
【図５】
2007072891.tif 000007